(57)【要約】【課題】集団検診や往診において行われる歯科検診や診療に際して有益な歯科用診察補助台の提供。【解決手段】仰向けに寝た患者Ｙの口内を診察するべく患者Ｙの頭部を支える歯科用診察補助台１１であって、患者Ｙの頭部を載せるシート状の支持シート２１と、該支持シート２１の両端を保持する一組の保持部３１，３１と、これら保持部を支持する支持部４１，４１を備え、上記保持部３１，３１間に張られた支持シート２１の下に、椅子に着座した医師Ｘの下肢を収容する収容空間Ｓを備えた歯科用診察補助台１１。【選択図】図４
0003139107.tif 000002
【実用新案登録請求の範囲】
【請求項１】
仰向けに寝た患者の口内を診察するべく患者の頭部を支える歯科用診察補助台であって、
患者の頭部を載せるシート状の支持シートと、
該支持シートの両端を保持する一組の保持部と、
これら保持部間に張られた支持シートを椅子に着座した医師の膝より上の位置に支持する支持部を備えた
歯科用診察補助台。
【請求項２】
仰向けに寝た患者の口内を診察するべく患者の頭部を支える歯科用診察補助台であって、
患者の頭部を載せるシート状の支持シートと、
該支持シートの両端を保持する一組の保持部と、
これら保持部を支持する支持部を備え、
上記保持部間に張られた支持シートの下に、椅子に着座した医師の下肢を収容する収容空間を備えた
歯科用診察補助台。
【請求項３】
前記支持部、または支持部と保持部との間に、保持部の高さを調節する高さ調節手段が設けられた
請求項１または請求項２に記載の歯科用診察補助台。
【請求項４】
前記保持部間の間隔に対する支持シートの長さを調節する長さ調節手段が設けられた
請求項１から請求３のうちのいずれか一項に記載の歯科用診察補助台。
【請求項５】
前記支持部が、保持部ごとに設けられるとともに、
支持部間には、支持部間の間隔を保持する間隔保持部が備えられた
請求項１から請求項４のうちのいずれか一項に記載の歯科用診察補助台。
【請求項６】
前記間隔保持部が、一組の保持部の患者側と医師側とに設けられ、医師側の間隔保持部が高さ調節可能である
請求項５に記載の歯科用診察補助台。
【請求項７】
前記一組の支持部が間隔保持部に対して折りたたみ可能に一体に連結された
請求項５または請求項６に記載の歯科用診察補助台。
【考案の詳細な説明】
【技術分野】
【０００１】
この考案は、たとえば園児や児童、生徒などに対して行う歯科の集団検診や、往診に際して好適に用いられるような歯科用診察補助台に関する。
【背景技術】
【０００２】
歯科の集団検診においては、背もたれのない椅子に着座した患者を仰向けに寝かせ、患者の頭部を、椅子にかけた医師が両脚の膝より上の部分で直接支えて行っている。
【０００３】
しかし、このような方法で一度に１００人を超える患者を診るのは、肉体的に大変である。肉体的な疲労が重なると、診察に傾注することができなくなってしまう。  
このような問題点を解決できるものはこれまでになかった。
【０００４】
下記特許文献１には、歯科往診用安頭台が提案されているが、これは、ベッド等に仰向けに寝た患者の頭部を支える枕状のものであって、大勢の患者を診なければならない集団検診には使えない。
【０００５】
また、歯科検診は、患者の頭頂部を医師側に向けた仰向けの姿勢で、患者の頭部を抱えるようにして行うが、特許文献１の安頭台では枕状の構造であるため、医師は患者の横から診療を行わなければならない。
【０００６】
【特許文献１】特許第３６００１８８号公報
【考案の開示】
【考案が解決しようとする課題】
【０００７】
そこで、この考案は、往診にも使用できるが特に集団検診に際して良好に使用できるような歯科用診察補助台を提供することを目的とする。
【０００８】
なお、この考案において、「診察」は、病気かどうかを診る検診や、病状等を判断する診察、診断と治療を行う診療を含む意味である。また、「患者」は、病気にかかっている人のほか、病気にかかっていない人も含む意味である。
【課題を解決するための手段】
【０００９】
そのための手段は、仰向けに寝た患者の口内を診察するべく患者の頭部を支える歯科用診察補助台であって、患者の頭部を載せるシート状の支持シートと、該支持シートの両端を保持する一組の保持部と、これら保持部間に張られた支持シートを椅子に着座した医師の膝より上の位置に支持する支持部を備えた歯科用診察補助台である。
【００１０】
別の手段は、仰向けに寝た患者の口内を診察するべく患者の頭部を支える歯科用診察補助台であって、患者の頭部を載せるシート状の支持シートと、該支持シートの両端を保持する一組の保持部と、これら保持部を支持する支持部を備え、上記保持部間に張られた支持シートの下に、椅子に着座した医師の下肢を収容する収容空間を備えた歯科用診察補助台である。
【００１１】
このような歯科用診察補助台は、医師の前に置かれ、椅子にかけた医師が支持シートの下に下肢を収容した状態にして使用される。
【００１２】
ここで、上記の構成に関して、たとえば以下のような態様に構成することができる。
【００１３】
その態様のひとつは、上記支持部、または支持部と保持部との間に、保持部の高さを調節する高さ調節手段が設けられた歯科用診察補助台である。保持部の高さ、すなわち支持シートの高さを調節できるので、患者の頭部を医師の体格や椅子の高さに対応させて診察しやすい高さにすることが可能である。
【００１４】
態様の他の一つは、上記保持部間の間隔に対する支持シートの長さを調節する長さ調節手段が設けられた歯科用診察補助台である。支持シートの長さを調節できるので、医師の膝に対しての距離を適宜設定することができ、診察しやすい姿勢を得ることが可能である。
【００１５】
態様の他の一つは、上記支持部が、保持部ごとに設けられるとともに、支持部間には、支持部間の間隔を保持する間隔保持部が備えられた歯科用診察補助台である。間隔保持部が支持部間の間隔を一定に保つので剛性が高く、安定した支持が可能となる。
【００１６】
態様の他の一つは、上記間隔保持部が、一組の保持部の患者側と医師側とに設けられ、医師側の間隔保持部が高さ調節可能な歯科用診察補助台である。間隔保持部が支持部間の間隔を一定に保つので剛性が高く、安定した支持が可能となるうえに、医師の体格に応じて間隔保持部の高さを変更できるので、便利に使用できる。
【００１７】
態様の他の一つは、上記一組の支持部が間隔保持部に対して折りたたみ可能に一体に連結された歯科用診察補助台である。持ち運び時や収納時には、支持部と間隔保持部が重なるように折りたためば、容易に小さくすることができ、部品点数も増えないので、便利である。
【考案の効果】
【００１８】
以上のように、この考案によれば、患者の頭部を支える支持シートの下には、医師の下肢が入るので、医師の膝より上の部分で患者の頭部を支えて診察するのと同じ状態を作ることができる。にもかかわらず、患者の頭部の重みは歯科用診察補助台で支え、医師に伝わることはない。
【００１９】
このため、医師の身体にかかる負担を大幅に軽減でき、一度に大勢の患者を診る診察が容易になる。
【考案を実施するための最良の形態】
【００２０】
この考案を実施するための一形態を、以下図面を用いて説明する。  
図１は、集団検診や往診、在宅診療などにおいて好適に使用される歯科用診療補助台１１（以下、「補助台」という。）の斜視図であり、図２は、その分解斜視図である。
【００２１】
この補助台１１は、図４に示したように、椅子（図示せず）に着座した医師Ｘの前に置いて使用され、患者Ｙの頭部を支えるものである。図１、図２において、図面上手前側が患者側、奥側が医師側である。
【００２２】
補助台１１は、患者Ｙの頭部から肩部、背中まで載せるシート状の支持シート２１と、該支持シート２１の両端を保持する一組の保持部３１，３１と、これら保持部３１，３１を支持する支持部４１，４１を備えている。
【００２３】
支持シート２１は、肌に直接接しても不快感がなく強度が高い布製であり、たとえばキャンバスなど適宜の素材で形成される。その形状は、平面視長方形状に形成されている。幅は、患者Ｙの頭部から背中まで必要な部分を支持できる寸法で、たとえば患者の体の大きさに応じて４００〜５００mm程度に設定され、長さは、椅子に腰掛けた医師Ｘが下肢を収容できる長さ、たとえば６５０〜８００mm程度に設定される。
【００２４】
また、支持シート２１の長さ方向の両端には、幅方向に沿って棒状の部材を挿入可能にする筒状の筒部３２が形成されている。
【００２５】
保持部３１は、支持シート２１の幅方向の長さよりも長い棒状で、上記筒部に挿入可能な断面長方形をなしている。長さ方向の両端には固定用の透孔３２が形成されている。
【００２６】
支持部４１は、保持部３１ごとに設けられ、保持部３１の両端を所定高さに支持する。所定高さとは、椅子に腰掛けた医師が側面視逆Ｌ字形になった下肢を収容できる高さである。
【００２７】
支持部４１は、保持部３１の両端に位置する２本の支柱４２，４３と、これら支柱４２，４３の間に掛け渡された横架材４４，４４とからなる。支柱４２，４３の上端には、保持部３１を落とし込む凹状の溝部４１ａが形成されるとともに、保持部３１の透孔３２に対応する位置に透孔４５が形成され、ボルトナットなどの締結具６１により両者の接合状態を得るようにしている。
【００２８】
保持部３１と支持部４１との連結は、ボルトナットなどの締結具６１で行えばよいが、図３に示したように、いずれか一方の連結はダボ４６によって行っている。ダボ４６は手で着脱可能であり、ダボ４６の着脱によって保持部３１と支持部４１は図３に仮想線で示したように分離接合可能であるので、支持シート２１の着脱が容易である。支持シート２１の着脱が容易であるので、支持シート２１を洗濯したり、長さや色柄などの異なるものと交換したりすることが手軽に行える。
【００２９】
また、支柱４２，４３のうち、医師側に位置する支柱部材４３には、長さ方向の中間部に複数個の貫通孔４３ａ…、図示例では３個の貫通孔が形成され、患者側に位置する支柱部材４２には１個の貫通孔４２ａが形成されている。
【００３０】
このような支持部４１間には、支持部４１間の間隔を保持する間隔保持枠５１，５２が固定される。間隔保持枠５１，５２は、縦材５３，５３と横架材５４，５４とで方形枠状をなし、上下両端に位置する横架材５４，５４の両端には、支柱４２，４３に嵌合する凹状の嵌合部５４ａが形成されている。
【００３１】
間隔保持枠５１，５２のうち患者側に位置するものは、支持部４１の支柱４２の高さよりも低く形成され、患者Ｙの頭部を支持シート１２に支持したときに患者Ｙと接触しないように考慮されている。また、この間隔保持枠５１を最も下に位置させたときに支持部４１の支柱４２の貫通孔４２ａに対応する位置には、貫通孔５１ａが形成されている。
【００３２】
一方、医師側に位置する間隔保持枠５２は、支持部４１の支柱４３の高さよりは低いがそれに近い高さに形成されている。また、この間隔保持枠５１の高さを支柱４３との間で相対的に変更できるようにすべく、支柱４３の貫通孔４３ａとは下端からの距離が異なる位置に複数の貫通孔５２ａが形成されている。間隔保持枠５２の位置は、図４に示したように、医師Ｘが椅子にかけたときに上端の横架材５４の下を通して腿部分より下側の側面視略逆Ｌ字形に曲がった下肢を、支持シート２１の下の収容空間Ｓに収容できるようにする高さに固定する。
【００３３】
このような各部材で構成される補助台１１は、図２に示したように、支持シート２１と保持部３１と支持部４１とが一体になった本体部材１１ａと、２個の間隔保持枠５１，５２とに分けて持ち運びや収納を行うことができる。
【００３４】
使用に当たっては、図２に仮想線で示したような折りたたみ状態から、支持部４１，４１を広げて、２個の間隔保持枠５１，５２を各支持部４１，４１の支柱４２，４３間に嵌め込んで、締結具６１で固定すればよい。このとき、医師側の間隔保持枠５２は、上端の横架材５４が医師Ｘの脚に接触しないように高さの調節を行う。
【００３５】
このような補助台１１は、図４、図５に示したように、椅子に着座した医師Ｘの前に置き、医師Ｘの下肢を支持シート２１の下の収容空間Ｓに収容する。そして、患者Ｙを仰向けにして、患者Ｙの頭部、肩部から背中を支持シート２１の上に載せる。
【００３６】
患者Ｙの頭部は、保持部３１間に張られた支持シート２１で支持され、医師Ｘには荷重がかからないようにすることができるので、患者Ｙの頭部を手前で抱えるようにして行う検診等が楽に行える。このため、大勢の患者を診る場合であっても肉体的な疲労を低減でき、検診の実質的な部分に意識を集中した、確かで迅速な検診等を実現できる。
【００３７】
また、支持部４１，４１間における医師側と患者側には間隔保持枠５１，５２を備え、支持部４１，４１間の間隔を一定に保っており、しかも各間隔保持枠５１，５２は方形状であって、支柱部材４１との結合部分は凹状の嵌合部５４ａによって嵌合するように構成されているので、剛性が高く、安定した支持が可能となる。そのうえ医師側の間隔保持枠５２は高さ調節可能であるので、医師Ｘの体格に応じて便利に使用できる。
【００３８】
以下、その他の例を説明する。この説明において、上記の構成と同一又は同等の部位については同一の符号を付してその詳しい説明を省略する。
【００３９】
図６は、他の例にかかる補助台１１の斜視図であり、この図に示すように補助台１１は、保持部３１の高さを調節する調節手段７１を支持部４１と保持部３１との間に備えている。
【００４０】
この補助台１１は、支持シート２１と、支持シート２１の両端を保持する一組の保持部３１，３１と、これら保持部３１，３１をそれぞれ支持する支持部４１とを有し、支持部４１の患者側部分は、間隔保持枠５１によって一体に連結されている。
【００４１】
保持部３１は、図７にも示したように、支持シート２１の筒部２２に挿入される棒状の保持棒３３と、この保持棒３３の両端に着脱自在に取り付けられる保持柱３４とからなる。保持柱３４は、上端に凹状の溝部３４ａを有し、これより下には柱状の内挿柱３４ｂを有する。内挿柱３４ｂには長さ方向に沿って複数の貫通孔３４ｃ…が形成される。
【００４２】
この内挿柱３４ｂは、支持部４１における中空状に形成された支柱４２，４３内に上から挿入され、支柱４２，４３に対して締結具６１によって保持される。
【００４３】
また、支持部４１の患者側の支柱４２は、間隔保持枠５１に対してヒンジ６５を介して一体に固定され、支持部４１を内側に開閉できるように構成されている。一方、支持部４１の医師側の支柱部材４３は、その下端における内側面に嵌合凹部４３ｂが形成され、この嵌合凹部４３ｂに嵌合する嵌合凸部５５ａを両端に有する間隔保持杆５５が備えられる。
【００４４】
このように構成された補助台１１では、支持シート２１と、保持部３１，３１と、支持部４１，４１と、一組の支持部４１，４１を一体に連結する間隔保持枠５１とからなる本体部材１１ａと、１本の間隔保持杆５５に分けて持ち運び等ができる。また、上述の例の場合と同様に使用される。
【００４５】
そして特に、保持柱３４と支柱４２，４３とよりなる高さ調節手段７１を有しており、保持部３１，３１の高さが調節可能であるので、支持シート２１の高さを調節できる。このため、患者Ｙの頭部を医師Ｘの体格や椅子の高さ等の諸条件に対応させて診察しやすい高さにすることができて、便利に使用できる。
【００４６】
また、補助台１１は、本体部材１１ａと間隔保持杆５５の２個の部材で構成されており、しかも、本体部材１１ａは折りたたみ可能である。このため、持ち運び時や収納時には、支持部４１と間隔保持枠５１が重なるように折りたためば、容易に小さくすることができて便利である。そのうえ、部品点数も２個と少ないのでので、持ち運びなどが簡単である。
【００４７】
図８は、図６の補助台１１における間隔保持杆５５に代えて、高さ調節可能な間隔保持枠５２を備えた例を示している。すなわち、支持部４１における医師側の支柱４３，４３間には、方形枠状の図２に示したのと同様の形状をなす間隔保持枠５２を備え、支柱４３には、高さ調節用の複数の貫通孔４３ａ…が形成されている。
【００４８】
このように構成された補助台１１では、患者側と医師側とに間隔保持枠５１，５２を備えているので剛性が高い。その上に、支持シート２１の高さと医師側の間隔保持枠５２の高さを変えられるとともに、本体部材１１ａは折りたたみができるうえに部品点数を２個にできるので、上述のすべての利点を得ることができる。
【００４９】
図９は、他の例にかかる補助台１１の一方側の保持部３１部分を示す分解斜視図と、作用状態の説明図である。
【００５０】
この補助台１１は、支持シート２１の長さを必要に応じて変更できるように長さ調節手段７５を備えたものである。すなわち、支持シート２１の一端は、断面長方形の棒状に形成された保持部３１に抜き差し可能な断面長方形の挿嵌孔２５ａを有した芯材２５に固定されている。そして支持シート２１は、芯材２５に適宜長さ巻回されている。芯材２５と保持部３１が長さ調節手段７５を構成する。
【００５１】
このように構成された補助台１１では、支持部４１，４１の間隔に対して支持シート２１の長さが適当な長さになるように回転してから保持部３１に挿嵌して使用する。
【００５２】
保持部４１，４１間の支持シート２１の長さを調節できるので、診察しやすい姿勢を得ることができる。
【００５３】
この考案の構成と、上記一形態の構成との対応において、  
この考案の間隔保持部は、間隔保持枠５１，５２および間隔保持杆５５に対応するも、  
この発明は、上記の構成のみに限定されるものではなく、その他の形態を採用することもできる。  
たとえば、高さ調節手段は、支持部を伸縮可能にするなどして支持部に設けることができる。
【００５４】
また、支持シートは、立体縫製して患者の頭部等を支持しやすくすることもできる。支持シートは、頭部のみを支持するものであるもよい。
【００５５】
さらに、間隔保持枠の嵌合部は、凹状ではなく、たとえば凸状に形成することもできる。
【００５６】
さらにまた、支持部は、一対の保持部にそれぞれ備えたが、一対の保持部を連結するように、たとえば長さ方向の中間部を相互に枢着された連結杆で構成することもできる。
【図面の簡単な説明】
【００５７】
【図１】歯科用診察補助台の斜視図。
【図２】歯科用診察補助台の分解斜視図。
【図３】保持部部分の構造を示す斜視図。
【図４】作用状態の説明図。
【図５】作用状態の説明図。
【図６】他の例に係る歯科用診察補助台の斜視図。
【図７】歯科用診察補助台の分解斜視図。
【図８】他の例に係る歯科用診察補助台の斜視図。
【図９】他の例に係る歯科用診察補助台の長さ調節手段を示す説明図。
【符号の説明】
【００５８】
１１…歯科用診療補助台
２１…支持シート
３１…保持部
４１…支持部
５１，５２…間隔保持枠
５５…間隔保持杆
６５…ヒンジ
７１…高さ調節手段
７５…長さ調節手段
Ｓ…収容空間
Ｘ…医師
Ｙ…患者
【図１】
0003139107.tif 000003
【図２】
0003139107.tif 000004
【図３】
0003139107.tif 000005
【図４】
0003139107.tif 000006
【図５】
0003139107.tif 000007
【図６】
0003139107.tif 000008
【図７】
0003139107.tif 000009
【図８】
0003139107.tif 000010
【図９】
0003139107.tif 000011